(57)【要約】      （修正有）【課題】分離保存により保存期限を延長可能で、フレバーの選択の幅が広がり、また蓋を設置する手間を省くことができる分離保存混合使用瓶体構造を提供する。【解決手段】瓶体１、保存器２を含む。該瓶体内には清浄で無加工の飲料水を入れる。該保存器には保存空間２１と充填構造２２を設置し、調合食品を充填後には適当に密封保存する。該保存器の嵌設端２５には内ネジ刻み２３を設置し、これにより該瓶体瓶口の外ネジ刻み１２に螺設され、該嵌設端内部と該保存空間との境目には破れ易い密封栓体２７を設置する。使用時には螺合動作を継続することにより、該瓶口頂点部は該密封栓体を破り、調合食品は該瓶内に落ち、飲料水と十分に混合され、直ちに調味嗜好飲料として使用可能となる。【選択図】図１
0003118039.tif 000002
【実用新案登録請求の範囲】
【請求項１】
瓶体、保存器を包含し、
該瓶体内には清浄で無加工の飲料水を入れ、
該保存器には保存空間と充填構造を設置し、調合食品を充填後には適当に密封保存し、該保存器の嵌設端には内ネジ刻みを設置し、これにより該瓶体瓶口の外ネジ刻みに螺設され、該嵌設端内部と該保存空間との境目には破れ易い密封栓体を設置し、
飲料水と調合食品は分離保存が可能で、使用時には螺合動作を継続することにより、該瓶口頂点部は該密封栓体を破り、調合食品は該瓶内に落ち、飲料水と十分に混合され、直ちに調味嗜好飲料として使用可能となり、分離保存により保存期限を延長可能であることを特徴とする、分離保存混合使用瓶体構造。
【請求項２】
請求項１記載の分離保存混合使用瓶体構造において、充填構造は保存空間を半分に分け、分離位置にはそれぞれ半分の厚さ壁と内、外ネジ刻みを設置し、充填及びネジ刻みの螺合により、充填保存の目的を達成することを特徴とする、分離保存混合使用瓶体構造。
【請求項３】
請求項１記載の分離保存混合使用瓶体構造において、充填構造は前記嵌設端に延伸する内ネジ刻みを設置し、保存空間には管口外ネジ刻みを設置し、該管口充填及びネジ刻み螺固により、充填保存の目的を達成することを特徴とする、分離保存混合使用瓶体構造。
【請求項４】
請求項１記載の分離保存混合使用瓶体構造において、充填構造は充填器の保存空間内に中空棒体を一体成型し、該棒体の両側には断面槽を形成し、該中空棒体と断面槽により充填後は密封蓋により蓋合し、充填保存の目的を達成することを特徴とする、分離保存混合使用瓶体構造。
【請求項５】
請求項１記載の分離保存混合使用瓶体構造において、嵌設端は保存器において分離し製造し、密封栓体により内部中央において一体成型され、内ネジ刻みに区画され、密封栓体は前記保存瓶の瓶口の破壊可能で、或いは密封栓体とその内ネジ刻みの内径は該保存瓶の瓶口より小さく、これにより密封栓体は保存器の管口により接触破壊されることを特徴とする、分離保存混合使用瓶体構造。
【請求項６】
請求項１記載の分離保存混合使用瓶体構造において、密封船体の破壊構造は保存器において軟質とすることができ、保存器内には棒体を一体成型し、保存器を押し前記棒体を下方へと押し、密封栓体を破壊し導通を達成することを特徴とする、分離保存混合使用瓶体構造。
【請求項７】
請求項１記載の分離保存混合使用瓶体構造において、密封栓体の破壊構造は保存空間内において棒体を一体成型し、保存器周辺には伸縮凹屈折部分を設置し、保存器を圧迫すると該伸縮凹屈折部分により棒体は密封栓体を押し破壊することを特徴とする、分離保存混合使用瓶体構造。
【請求項８】
請求項７記載の分離保存混合使用瓶体構造において、伸縮凹屈折部分は１個以上であることを特徴とする、分離保存混合使用瓶体構造。
【考案の詳細な説明】
【技術分野】
【０００１】
本考案は一種の分離保存混合使用瓶体構造に関する。特に一種の分離保存することにより保存期限を延長可能で、使用時には回転或いは打撃方式により、両者を隔絶する密封栓体を破壊し、両者間の通路を開放後、直ちに十分に混合し調味嗜好飲料と成し使用可能で、保存と使用の利便性を達成する分離保存混合使用瓶体構造に係る。
【背景技術】
【０００２】
公知の瓶入り飲料の製造方式は、固体粉状の調味食品に飲料水を加え調合後、瓶に充填密封し市販するものである。しかし、その固体食品の保存期限は加水前は非常に長いが、加水により化学変化が生じるため、調合後の調味嗜好飲料の保存期限は短くなってしまう。保存期限の短縮により販売可能期間も短くなってしまうが、保存期限を超過した調味嗜好飲料は腐敗し変質し易いため販売することはできない。よって、短期間に完売しなければ損失を生じてしまう。すなわちいかにして保存期限を延長するかは飲料業界関係者にとって長年の課題であった。
【考案の開示】
【考案が解決しようとする課題】
【０００３】
本考案の主要目的は、主に固体である調味食品と液体である飲料水を分離し、飲料水は瓶体に充填し、調合食品は充填構造により保存空間に充填し、嵌設端により該瓶体の設置部分の外ネジ刻みに螺設し、該保存空間と該嵌設端間には密封栓体を一体成型し、調合食品と飲料水を隔絶し、該密封栓体は圧迫により破壊され、両者の分離保存と簡単な混合をの目的及び保存期限延長の機能を達成する。
【０００４】
本考案の次要目的は、該密封栓体の圧迫破壊方式は該瓶体の瓶口或いは該保存器管口或いは該保存器に一体成型する棒体或いは該棒体に対応する保存器の伸縮凹屈折部分により、密封通路を開け、混合の目的を達成し。
【０００５】
本考案のもう一つの目的は、該保存器は該嵌設端に直接成型し、或いは分離型の嵌設端により該瓶体固設されることを特徴とする、分離保存混合使用瓶体構造である。
【課題を解決するための手段】
【０００６】
請求項１の考案は、瓶体、保存器を包含し、
該瓶体内には清浄で無加工の飲料水を入れ、
該保存器には保存空間と充填構造を設置し、調合食品を充填後には適当に密封保存し、該保存器の嵌設端には内ネジ刻みを設置し、これにより該瓶体瓶口の外ネジ刻みに螺設され、該嵌設端内部と該保存空間との境目には破れ易い密封栓体を設置し、
上記構造において、飲料水と調合食品は分離保存が可能で、使用時には螺合動作を継続することにより、該瓶口頂点部は該密封栓体を破り、調合食品は該瓶内に落ち、飲料水と十分に混合され、直ちに調味嗜好飲料として使用可能となり、分離保存により保存期限を延長可能であることを特徴とする、分離保存混合使用瓶体構造としている。
請求項２の考案は、請求項１記載の分離保存混合使用瓶体構造において、充填構造は保存空間を半分に分け、分離位置にはそれぞれ半分の厚さ壁と内、外ネジ刻みを設置し、充填及びネジ刻みの螺合により、充填保存の目的を達成することを特徴とする、分離保存混合使用瓶体構造としている。
請求項３の考案は、請求項１記載の分離保存混合使用瓶体構造において、充填構造は前記嵌設端に延伸する内ネジ刻みを設置し、保存空間には管口外ネジ刻みを設置し、該管口充填及びネジ刻み螺固により、充填保存の目的を達成することを特徴とする、分離保存混合使用瓶体構造としている。
請求項４の考案は、請求項１記載の分離保存混合使用瓶体構造において、充填構造は充填器の保存空間内に中空棒体を一体成型し、該棒体の両側には断面槽を形成し、該中空棒体と断面槽により充填後は密封蓋により蓋合し、充填保存の目的を達成することを特徴とする、分離保存混合使用瓶体構造としている。
請求項５の考案は、請求項１記載の分離保存混合使用瓶体構造において、嵌設端は保存器において分離し製造し、密封栓体により内部中央において一体成型され、内ネジ刻みに区画され、密封栓体は前記保存瓶の瓶口の破壊可能で、或いは密封栓体とその内ネジ刻みの内径は該保存瓶の瓶口より小さく、これにより密封栓体は保存器の管口により接触破壊されることを特徴とする、分離保存混合使用瓶体構造としている。
請求項６の考案は、請求項１記載の分離保存混合使用瓶体構造において、密封船体の破壊構造は保存器において軟質とすることができ、保存器内には棒体を一体成型し、保存器を押し前記棒体を下方へと押し、密封栓体を破壊し導通を達成することを特徴とする、分離保存混合使用瓶体構造としている。
請求項７の考案は、請求項１記載の分離保存混合使用瓶体構造において、密封栓体の破壊構造は保存空間内において棒体を一体成型し、保存器周辺には伸縮凹屈折部分を設置し、保存器を圧迫すると該伸縮凹屈折部分により棒体は密封栓体を押し破壊することを特徴とする、分離保存混合使用瓶体構造としている。
請求項８の考案は、請求項７記載の分離保存混合使用瓶体構造において、伸縮凹屈折部分は１個以上であることを特徴とする、分離保存混合使用瓶体構造としている。
【考案の効果】
【０００７】
本考案は保存期間を延長可能な分離保存混合使用瓶体構造である。
【考案を実施するための最良の形態】
【０００８】
図１、２に示すように、本考案は瓶体１、保存器２を含む。
該瓶体１内には清浄で無加工の飲料水を入れる。該瓶体１の固定設置部分１１には外ネジ刻み１２と瓶口１３を設置する。
該保存器２には保存空間２１と充填構造２２を設置する。該保存空間２１には収容室を設置し、該充填構造２２は該収容室を２つに分ける。その結合位置は内、外ネジ刻み２３、２４により結合され、充填と密封保存の機能を達成する。該保存器２の嵌設端２５には内ネジ刻み２６を設置し、これにより該瓶体１の固定設置部分１１の外ネジ刻み１２に螺設される。該保存器２の嵌設端２５内部は該保存空間２１の前位置に通じ、該保存器２に一体成型し、かつ破れ易い密封栓体２７を設置する。
【０００９】
上記組合せにより、該保存器２は瓶蓋として使用され、該嵌設端２５の内ネジ刻み２６は直接該瓶体１の固定設置部分１１外ネジ刻み１２に螺設されるため、該瓶体１は別に瓶蓋を用意し蓋合する必要がない。その螺設過程には一定の行程を留保するため、飲料を調合しようとする時には、該保存器２を回し、該瓶体１の瓶口１３を該密封栓体２７に接触し破壊するまで上昇させ、該保存器内の粉状或いは細粒状或いは流体状の食品を該瓶体１内に入れ、内部の飲料水と十分に混合するだけで、調味嗜好飲料として飲用することができる。このように調合食品と飲料水を別々に保存することにより保存期限の延長が可能である。
【００１０】
次に図３に示すように、本考案の別種の最適実施例では、該瓶体１部分は上記実施例と完全に同一である。
その相違部分は保存器３で、該保存器３は保存空間３１と嵌設端３５に分けられ、該保存空間３１は中空収容室とし、管口３１には外ネジ刻み３３を設置する。充填構造３４の螺設部分内ネジ刻み３４１は嵌設端３５と一体成型し、該嵌設端３５にも内ネジ刻み３５１を設置し、該瓶体１の外ネジ刻み１２に螺設する。該嵌設端３５と該充填構造３４間のネジ刻みがない部分には破れ易い密封栓体３６を一体成型する。
【００１１】
上記組合せにより、該保存空間３１に充填後は該外ネジ刻み３３により該充填構造３４の内ネジ刻み３４１に螺固し、該密封栓体３６により密封する。こうして効果的に保存期限を延長する。該保存器３は瓶蓋として使用され、該嵌設端３５の内ネジ刻み３５１は直接該瓶体１の固定設置部分１１外ネジ刻み１２に螺設される。これにより、該瓶体１は瓶蓋を別に用意し蓋合する必要がなく、その螺設過程には一定の行程を留保するため、飲料を調合しようとする時には、該保存器３を回し、該瓶体１の瓶口１３を該密封栓体３６に接触し破壊するまで上昇させ、該保存器３内の粉状或いは細粒状或いは流体状の食品を該瓶体１内に入れ、内部の飲料水と十分に混合するだけで、調味嗜好飲料として飲用することができる。このように調合食品と飲料水を別々に保存することにより保存期限の延長が可能である。
【００１２】
続いて図４に示すように、本考案のさらに別種の最適実施例では、該瓶体１部分は上記実施例と完全に同一である。
その相違部分は保存器４で、該保存器４は保存空間４１と嵌設端４５に分けられる。該保存空間４１は中空収容室とし、該収容室の管口４２には外ネジ刻み４３を設置し、充填構造４４内ネジ刻み４４１に螺設される。該充填構造４４の螺設部分内ネジ刻み４４１は該嵌設端４５と一体に成型し、かつその口径は該瓶体１瓶口１３の口径より小さい。該嵌設端４５Ｈにも内ネジ刻み４５１を設置し、該瓶体１の外ネジ刻み１２に螺設される。該嵌設端４５と該充填構造４４間の口径が小さい部分には破壊され易い密封栓体４６を一体成型する。
上記組合せにより、該保存空間４１に充填後は該外ネジ刻み４３により該充填構造４４の内ネジ刻み４４１に螺固し、該密封栓体４６により密封する。飲料を調合しようとする時には、該保存器４の保存空間４１を回し、該管口４２を該密封栓体４６に接触し破壊するまで下げ、調合食品を水中に落とし入れ、使用の目的を達成する。
【００１３】
さらに図５に示すように、本考案のさらに別種の最適実施例では、保存器５の保存空間５１は軟質の圧縮可能な形態で、頂点部において中空棒体５２を内部へと向かい一体成型する。該中空棒体５２の両側には断面槽５２１を設置し、その外界は該断面槽５２１により該保存空間５１内に通じる。該保存空間５１の下方の嵌設端には内ネジ刻みを設置し、該嵌設端内には一体成型でかつ容易に破壊可能な密封栓体５３を設置する。該保存空間５１は該断面槽５２１により調合食品を充填後、該棒体５２底部の孔５４において密封蓋５５を固設し密封保存を行う。
使用時には該保存空間５１を打撃し変形させ該棒体５２を下方へと押せば該密封栓体５３を直ちに破壊することができる。こうして固体と液体を混合する機能を達成する。
【００１４】
続いて図６に示すように、本考案のさらに別種の実施例では、保存器６の保存空間６１の中央部分には伸縮凹屈折部分６２を設置する。これにより、該保存空間６は圧縮可能となり、頂点部には内部へと向かう中空棒体５２を一体成型する。該中空棒体５２の両側には断面槽５２１を設置し( 図５参照) 、その外界は該断面槽５２１により該保存空間６１内に通じる。該保存空間６１の下方の嵌設端には内ネジ刻みを設置し、該嵌設端内には一体成型でかつ容易に破壊可能な密封栓体５３を設置する。該保存空間６１は該断面槽５２１により調合食品を充填後、該棒体５２底部の孔において密封蓋５５を固設し密封保存を行う。
使用時には該保存空間６１を打撃し該伸縮凹屈折部分６２を変形させ、該棒体５２を下方へと押せば該密封栓体５３を直ちに破壊することができる。こうして固体と液体を混合する機能を達成する。
【００１５】
さらに図７に示すように、本考案のさらに別種の実施例では、保存器７の保存空間７１下部には徐々に直径が小さくなる複数の伸縮凹屈折部分７２を設置し、これにより該保存空間７１は圧縮可能となる。頂点部には内部へと向かう中空棒体５２を一体成型する。該中空棒体５２の両側には断面槽５２１を設置し( 図５参照) 、その外界は該断面槽５２１により該保存空間７１内に通じる。該保存空間７１の下方の嵌設端には内ネジ刻みを設置し、該嵌設端内には一体成型でかつ容易に破壊可能な密封栓体５３を設置する。該保存空間７１は該断面槽５２１により調合食品を充填後、該棒体５２底部の孔において密封蓋５５を固設し密封保存を行う。
使用時には該保存空間７１を打撃し該徐々に直径が小さくなる複数の伸縮凹屈折部分７２を変形させ、該棒体５２を下方へと押せば該密封栓体５３を直ちに破壊することができる。こうして固体と液体を混合する機能を達成する。
【図面の簡単な説明】
【００１６】
【図１】本考案分離保存混合使用瓶体構造の最適実施例の局部断面図である。
【図２】本考案分離保存混合使用瓶体構造の別種の最適実施例の局部断面図である。
【図３】本考案分離保存混合使用瓶体構造のさらに別種の最適実施例の局部断面図である。
【図４】本考案分離保存混合使用瓶体構造のまたさらに別種の最適実施例の局部断面図である。
【図５】本考案分離保存混合使用瓶体構造のまたさらに別種の最適実施例の局部断面図である。
【図６】本考案分離保存混合使用瓶体構造のまたさらに別種の最適実施例の局部断面図である。
【図７】本考案分離保存混合使用瓶体構造のまたさらに別種の最適実施例の局部断面図である。
【符号の説明】
【００１７】
１  瓶体
１１  固定設置部分
１２  外ネジ刻み
１３  瓶口
２  保存器
２１  保存空間
２２  充填構造
２３  内ネジ刻み
２４  外ネジ刻み
２５  嵌設端
２６  内ネジ刻み
２７  密封栓体
３  保存器
３１  保存空間
３２  管口
３３  外ネジ刻み
３４  充填構造
３４１  内ネジ刻み
３５  嵌設端
３５１  内ネジ刻み
３６  密封栓体
４  保存器
４１  保存空間
４２  管口
４３  外ネジ刻み
４４  充填構造
４４１  内ネジ刻み
４５  嵌設端
４５１  内ネジ刻み
４６  密封栓体
５  保存器
５１  保存空間
５２  中空棒体
５２１  断面槽
５３  密封栓体
５４  孔
５５  密封蓋
６  保存器
６１  保存空間
６２  伸縮凹屈折部分
７  保存器
７１  保存空間
７２  徐々に直径が小さくなる複数の伸縮凹屈折部分
【図１】
0003118039.tif 000003
【図２】
0003118039.tif 000004
【図３】
0003118039.tif 000005
【図４】
0003118039.tif 000006
【図５】
0003118039.tif 000007
【図６】
0003118039.tif 000008
【図７】
0003118039.tif 000009